(57)【要約】　　　（修正有）【課題】偏向された電子ビームがシャドウマスクを構成するマスク本体のスカート部内面、あるいはマスクフレームの底面開口端縁部に射突して反射ビーム（２次電子放出）が発生し、コントラストを低下させる等の画質を低下させる要因となっていたが、この反射ビームの発生量を簡単な構成で減少させることにより、画質の改善を図った。【解決手段】シャドウマスク１７を、スカート部１９を有するマスク本体と、このマスク本体を保持するマスクフレーム２３から構成し、このマスクフレーム２３をマスク本体を固定する側壁部２１、及びこの側壁部２１と略直角に形成され底面開口端縁部２４を有する底面部２２からなる断面が略Ｌ字状で全体として枠状に形成し、このマスクフレーム２３の底面部２２や底面開口端縁部２４、側壁部２１内面あるいはマスク本体２０のスカート部１９内面に、２次電子放出比が１以下の部材で形成される被覆部材２５を被着する。【選択図】　図１
2004071515.tif 000002
【特許請求の範囲】
【請求項１】
略矩形状のフェースパネルと、
このフェースパネルに連接するファンネルと、
このファンネルのネック内に配置され３電子ビームを放出する電子銃と、
この電子銃に対向して前記フェースパネル内面に形成される３色蛍光体層を有する蛍光体スクリーンと、
この蛍光体スクリーンに対向して配置されるマスク本体、並びにこのマスク本体を保持する側壁部及びこの側壁部に対して略直角に形成された底面部からなる断面略Ｌ字形で前記フェースパネルに取着される枠状のマスクフレームからなるシャドウマスクとを備えるカラー陰極線管において、
前記シャドウマスクの非有効部分に２次電子放出比が１以下の被覆部材を被着したことを特徴とするカラー陰極線管。
【請求項２】
前記被着部材を前記マスクフレームの底面部外側面に被着したことを特徴とする請求項１記載のカラー陰極線管。
【請求項３】
前記被着部材を前記マスクフレームの底面開口端縁部に被着したことを特徴とする請求項１記載のカラー陰極線管。
【請求項４】
前記被着部材を前記マスク本体のスカート部内面に被着したことを特徴とする請求項１記載のカラー陰極線管。
【請求項５】
前記被着部材を前記マスク本体のスカート部内面及び前記マスクフレームの底面部外側面に被着したことを特徴とする請求項１記載のカラー陰極線管。
【請求項６】
前記被着部材を前記マスク本体のスカート部内面及び前記マスクフレームの底面開口端縁部に被着したことを特徴とする請求項１記載のカラー陰極線管。
【発明の詳細な説明】
【０００１】
【発明の属する技術分野】
本発明は、マスク本体とこのマスク本体を保持するマスクフレームからなるシャドウマスクを有するカラー陰極線管に係り、特にシャドウマスクに２次電子放出比が１以下の被覆部材を被着させることによって、電子ビームの反射を抑制したカラー陰極線管に関する。
【０００２】
【従来の技術】
現在、一般的にカラーテレビジョン受像機やカラー端末ディスプレイ等に使用されているカラー陰極線管は、図４に示すように、画面が略矩形状を呈するフェースパネル４１と、このフェースパネル４１のスカート部４２に一体的に接合されたファンネル４３を有する外囲器を備えており、このフェースパネル４１の内面には、青、緑、赤に発光する３色蛍光体層を有する蛍光体スクリーン４４が配設されている。
【０００３】
更に、この外囲器内には、この蛍光体スクリーン４４に対向して、３電子ビーム４５Ｂ，４５Ｇ，４５Ｒが通過し色選別を行うためのシャドウマスク４６が配置され、このシャドウマスク４６は、多数の電子ビーム通過孔４７を有する有効部４８と、それに連接するスカート部４９からなるマスク本体５０と、このマスク本体５０のスカート部４９を固定する側壁部５１及びこの側壁部５１から略直角に折曲された底面部５２からなる断面略Ｌ字形で枠状のマスクフレーム５３から構成されており、このマスクフレーム５３は、フェースパネル４１のスカート部４２の内側面に設けられたスタッドピン５４に弾性支持体５５によって取着されている。
【０００４】
また、ファンネル４３のネック５６内には、電子ビーム４５Ｂ，４５Ｇ，４５Ｒを放出する電子銃５７が配設されており、この電子銃５７から放出された電子ビーム４５Ｂ，４５Ｇ，４５Ｒを、ファンネル４３の外側に装着された偏向ヨーク５８の発生する磁界によって偏向し、電子ビーム４５Ｂ，４５Ｇ，４５Ｒにて蛍光体スクリーン４４を水平、垂直方向に走査することによって、蛍光体スクリーン４４上にカラー画像を表示している。
【０００５】
また、外部磁場の影響を受けないように、外囲器内の電子ビーム４５Ｂ，４５Ｇ，４５Ｒの通過領域部分を、一端がマスクフレーム５３の底面部５２に固定された略矩形中空台形状のインナーシールド５９でシールドしている。
【０００６】
このようなカラー陰極線管を使用したカラーテレビジョン受像機等においては、蛍光体スクリーン４４の有効面の１０５〜１１０％程度となるオーバースキャン方式の偏向走査を採用することによって、蛍光体スクリーン４４の有効面の全域に確実に画像を表示するようにする技術が一般的に採用されている。
【０００７】
このオーバースキャン方式は、蛍光体スクリーン４４面に画像を確実に表示するには有効な手段となっているが、その反面、電子ビーム４５Ｂ，４５Ｇ，４５Ｒは蛍光体スクリーン４４の非有効部までも走査するように偏向ヨーク５８による偏向磁界によって偏向されることになる。この偏向された電子ビーム４５Ｂ，４５Ｇ，４５Ｒが蛍光体スクリーン４４の有効部の左右及び上下端付近を走査する際に、シャドウマスク４６に射突して反射ビームを発生する場合がある。
【０００８】
即ち、図５に示すように、偏向ヨーク５８によって偏向された電子ビーム４５Ｂ，４５Ｇ，４５Ｒがマスク本体５０のスカート部４９の内壁面やマスクフレーム５３の底面部５２、特に底面開口端縁部５２´に射突してしまう。このスカート部４９や底面開口端縁部５２´に射突した電子ビーム４５Ｂ，４５Ｇ，４５Ｒは、反射ビーム（２次電子放出）ａとなって、最悪の場合にはマスク本体５０の電子ビーム通過孔４７を通過し、蛍光体スクリーン４４の有効面に達してしまうことになる。このために画像のコントラストが低下する等の画質の劣化を発生していた。
【０００９】
【発明が解決しようとする課題】
このような反射ビームａが蛍光体スクリーン４４面にまで到達しないように、各種の対策がとられており、例えば特開平２−２４４５４２号公報には、マスクフレームの底面開口端縁を蛍光体スクリーン側に傾斜するように折曲し、この傾斜角を反射ビームが蛍光体スクリーンに到達しないように最適化することによって抑制している構成が示されている。
【００１０】
しかしながら、これらのマスクフレームは機械的な強度を確保するために、０．８〜１．２ｍｍ程度の板厚を有する低炭素鋼板によって形成するのが一般的である。この低炭素鋼板をプレスによって打抜き成形を行ってＬ字状のマスクフレームを形成しているが、その底面開口端縁部を安定した鋭利な状態に常に保持することは困難であって、端縁部は粗面状に形成された状態で使用されることが殆どである。この低炭素鋼板は、２次電子放出比が１．３前後を有しているために、この粗面状の端縁部に電子ビームが射突して反射ビームが発生すると、この反射ビームは端縁部が粗面状のために散乱されて蛍光体スクリーン面に到達し、画像のコントラスト等の画質の低下を十分に改善するまでに至っていない。
【００１１】
本発明は、これらの課題に対処してなされたものであり、シャドウマスクに２次電子放出比が１以下の被覆部材を被着することによって、電子ビームの反射による反射ビームの発生を抑制し、画像のコントラストが低下する等の画質の改善を図ったカラー陰極線管を得ることを目的としている。
【００１２】
【課題を解決するための手段】
本発明は、略矩形状のフェースパネルと、このフェースパネルに連接するファンネルと、このファンネルのネック内に配置され３電子ビームを放出する電子銃と、この電子銃に対向して前記フェースパネル内面に形成される３色蛍光体層を有する蛍光体スクリーンと、この蛍光体スクリーンに対向して配置されるマスク本体並びにこのマスク本体を保持する側壁部及びこの側壁部に対して略直角に形成された底面部からなる断面略Ｌ字形でフェースパネルに取着される枠状のマスクフレームからなるシャドウマスクとを備えるカラー陰極線管において、シャドウマスクの非有効部分に２次電子放出比が１以下の被覆部材を被着するように構成した。
【００１３】
このように構成することによって、シャドウマスクに射突して反射される電子ビームの反射量を抑制することにより、コントラスト等の画質の改善を図ることができる。
【００１４】
【発明の実施の形態】
以下、本発明に係るカラー陰極線管について、図面を参照して詳細に説明する。
【００１５】
本発明に係るカラー陰極線管は、図１に示すように、画面が略矩形状を呈するフェースパネル１１と、このフェースパネル１１のスカート部１２に一体的に接合されたファンネル１３を有する外囲器を備えており、このフェースパネル１１の内面には、青、緑、赤に発光する３色蛍光体層及びこの３色蛍光体層間に設けられた黒色光吸収層を有する蛍光体スクリーン１４が配設されている。
【００１６】
更に、この外囲器内には、この蛍光体スクリーン１４に対向して、３電子ビーム１５Ｂ，１５Ｇ，１５Ｒが通過し色選別を行うための多数の電子ビーム通過孔１６を有するシャドウマスク１７が配置されている。
【００１７】
このシャドウマスク１７は、図２に示すように、電子ビーム通過孔１６を有する有効部１８に連接するスカート部１９を備えたマスク本体２０と、このマスク本体２０のスカート部１９を固定する側壁部２１及びこの側壁部２１から略直角に折曲された底面部２２からなる断面略Ｌ字形で枠状のマスクフレーム２３から構成されている。このマスクフレーム２３の底面部２２のマスク本体２０側と反対側側面及び底面開口端縁部２４には、２次電子放出比が１以下の部材からなる被覆部材２５がメッキや溶接等の手段で被着され、またマスク本体２０のスカート部１９内面、及びこのスカート部１９に連接する側壁部２１内側面にも同様に被覆部材２５が被着されている。この被覆部材２５は、２次電子放出比が０．５のベリリウム、同じく０．９５のマグネシウム、同じく０．４５のカーボン、同じく１．０のグラファイトやアルミニウム等が素材として使用される。
【００１８】
このシャドウマスク１７は、フェースパネル１１のスカート部１２の内側面に設けられたスタッドピン２６に弾性支持体２７によって着脱自在に取着されている。
【００１９】
また、ファンネル１３のネック２８内には、電子ビーム１５Ｂ，１５Ｇ，１５Ｒを放出する電子銃２９が配設されており、この電子銃２９から放出された電子ビーム１５Ｂ，１５Ｇ，１５Ｒを、ファンネル１３の外側に装着された偏向ヨーク３０の発生する磁界によって偏向し、電子ビーム１５Ｂ，１５Ｇ，１５Ｒにて蛍光体スクリーン１４を水平、垂直方向に走査することによって、蛍光体スクリーン１４上にカラー画像を表示している。
【００２０】
この時、電子銃２９から放出された電子ビーム１５Ｂ，１５Ｇ，１５Ｒが蛍光体スクリーン１４に射突するまでの間では、地磁気や外部回路に起因した外部磁場の存在する領域を通過することになるので、この外部磁場の影響を回避するために、外囲器内の電子ビーム１５Ｂ，１５Ｇ，１５Ｒの通過領域部分をマスクフレーム２３の底面部２２に固定された矩形中空台形状のインナーシールド３１でシールドするように構成している。
【００２１】
このようなカラー陰極線管を用いてカラーテレビジョン受像機を構成して、１０５〜１１０％程度のオーバースキャン方式を採用して偏向動作を行った場合においても、オーバースキャンによる電子ビーム１５Ｂ，１５Ｇ，１５Ｒのシャドウマスク１７への射突に伴って発生する反射ビーム（２次電子放出）の発生を抑制することが可能となる。
【００２２】
即ち、図３に示すように、偏向ヨーク３０によるオーバースキャンの磁界によって偏向された電子ビーム１５Ｂ，１５Ｇ，１５Ｒは、図中実線で示すように、その一部がシャドウマスク１７に射突する。例えば電子ビーム１５Ｂ，１５Ｇ，１５Ｒがシャドウマスク１７を構成するマスクフレーム２３の底面開口端縁部２４、あるいはマスク本体１８のスカート部１９内面、及びマスクフレーム２３の側壁部２１内面に射突すると、この端縁部２４あるいはスカート部１９及び側壁部２１内面には被覆部材２５が取着されており、この被覆部材２５は２次電子放出比が１以下の部材を使用しているために、この被覆部材２５によって反射される反射ビームｂは、図中破線ｂで示すように、その反射ビームｂは２次電子放出比の比率分だけ大幅に減少されて蛍光体スクリーン１４方向に反射されることになる。
【００２３】
従って、減少された反射ビームｂが例え蛍光体スクリーン１４の有効面に到達したとしても、その到達量は極めて少ないものであるため、コントラストを大幅に劣化させることがなく、その影響を最小限に留めることが可能となる。因みに被覆部材２５としてベリリウムを使用すると、２次電子放出比が０．５のために、単純には反射ビームｂ量が半減することになり、その他の材料を使用した場合においても、低炭素鋼板の２次電子放出比が１．３前後のものに比較して、その比率分だけ反射ビームｂの発生量を抑制することが可能となる。
【００２４】
なお、本発明は、上記実施の形態に限定されることなく、マスクフレームの底面開口端縁部を蛍光体スクリーン方向に傾斜させるように折曲し、この折曲された底面部あるいは開口端縁部に被覆部材を被着させるように構成することも可能で、この場合には更に反射ビームの発生を抑制することが可能となるばかりでなく、開口端縁部が蛍光体スクリーン側に傾斜しているので、マスクフレームの側壁部内面に電子ビームが射突する機会を減少させることも可能となり、側壁部内面の被覆部材を省略することができる。また、この被覆部材は、傾斜している開口端縁部の補強あるいは粗面を修正する効果も期待することができる。
【００２５】
更に、被覆部材は、マスク本体あるいはマスクフレームのいずれか一方のみ、あるいは底面部側面への被着を省略する等、その配置の組み合わせを自由に設定することができ、管種や使用形態に応じて適宜選択し得ることは勿論であり、その他種々の応用や変形が可能なことは言うまでもない。
【００２６】
【発明の効果】
本発明によれば、シャドウマスクに２次電子放出比が１以下の被覆部材を被着することにより、簡単な構成で確実にシャドウマスクに射突する電子ビームによって発生する反射ビームの発生量を大幅に低減し、この反射ビームによるコントラストの低下等の画質を改善することができるカラー陰極線管を得ることができる。
【図面の簡単な説明】
【図１】本発明に係るカラー陰極線管を示す一部切欠断面図。
【図２】同じくカラー陰極線管を構成するシャドウマスクを示す断面図。
【図３】同じくカラー陰極線管の要部を拡大して示す説明用断面図。
【図４】従来のカラー陰極線管を示す一部切欠断面図。
【図５】同じくカラー陰極線管の要部を拡大して示す説明用断面図。
【符号の説明】
１１：フェースパネル
１３：ファンネル
１４：蛍光体スクリーン
１５Ｂ，１５Ｇ，１５Ｒ：電子ビーム
１７：シャドウマスク
１８：有効部
１９：スカート部
２０：マスク本体
２１：側壁部
２２：底面部
２３：マスクフレーム
２４：底面開口端縁部
２５：被覆部材
２８：ネック
２９：電子銃
【図１】
2004071515.tif 000003
【図２】
2004071515.tif 000004
【図３】
2004071515.tif 000005
【図４】
2004071515.tif 000006
【図５】
2004071515.tif 000007